(57)【要約】【課題】スプライスユニットを、小型化して従来の通信機器ロッカー筺体へ実装でき、二段積みを可能にする。通信機器ロッカーを、光ファイバ接続のために、光ケーブルの導入と固定、および光ファイバ融着と光コネクタの接続作業をロッカー筺体の前面から行えるようにする。増設やメンテナンスなどのために光コネクタの装着が簡単に実施でき、スプライシンユニットの二段積みを可能にする。【解決手段】筺形状のユニット本体と、外部から取り込まれる光ケーブルの光ファイバ心線と接続用の外線光コードとを融着する融着トレイと、前記融着トレイに連絡する外線光コードと機器類に連絡する内線光コードとを接続する光コネクタ装置と、前記融着トレイおよび前記光コネクタ装置を取り付け、前記筺形状のユニット本体上に回転自在に軸支されるトレイ部材とを備えた。【選択図】      図１
2005043480.tif 000002
【特許請求の範囲】
【請求項１】
筺形状のユニット本体と、
外部から取り込まれる光ケーブルの光ファイバ心線と接続用の外線光コードとを融着する融着トレイと、
前記融着トレイに連絡する外線光コードと機器類に連絡する内線光コードとを接続する光コネクタ装置と、
前記融着トレイおよび前記光コネクタ装置を取り付け、前記筺形状のユニット本体上に回転自在に軸支されるトレイ部材と
を備えたことを特徴とするスプライスユニット。
【請求項２】
筺形状のユニット本体と、
外部から取り込まれる光ケーブルの光ファイバ心線と接続用の外線光コードとを融着する融着トレイと、
前記融着トレイに連絡する外線光コードと機器類に連絡する内線光コードとを接続する光コネクタ装置と、
前記外部から取り込まれる光ケーブルとその光ファイバ心線およびテンションメンバとを固定する光ケーブル固定具と、
前記融着トレイ、前記光コネクタ装置および前記光ケーブル固定具を取り付け、前記筺形状のユニット本体上に回転自在に軸支されるトレイ部材と
を備えたことを特徴とするスプライスユニット。
【請求項３】
請求項１または請求項２記載のスプライスユニットにおいて、
前記トレイ部材を固定位置において前記筺形状のユニット本体に固定する第一固定部材と、前記トレイ部材を所定角度回転後に前記筺形状のユニット本体に固定する第二固定部材とをさらに備えている
ことを特徴とするスプライスユニット。
【請求項４】
請求項１または請求項２記載のスプライスユニットにおいて、
余長取付部を設けた配線シート部材をさらに備え、
前記配線シート部材は、前記トレイ部材における前記筺形状のユニット本体への軸支部の上部を隙間をもって覆うとともに前記筺形状のユニット本体に固定される
ことを特徴とするスプライスユニット。
【請求項５】
請求項２に記載のスプライスユニットにおいて、
前記光ケーブル固定具は、前記トレイ部材の一側に取り付けられる座板と、前記外部から取り込まれる光ケーブルを固定するとともに前記光ケーブルのテンションメンバを締結して前記座板に取り付けられる取付部材とを備えている
ことを特徴とするスプライスユニット。
【請求項６】
請求項２に記載のスプライスユニットにおいて、
前記トレイ部材は、前記光ケーブル固定具と前記融着トレイとに連絡する前記内線光コードの余長部を収容する余長取付部と、
前記トレイ部材は、前記融着トレイに融着される前記外部から取り込まれる光ケーブルの光ファイバ心線の余長部を収容する余長取付部と、
前記トレイ部材は、前記融着トレイと前記光コネクタ装置とに連絡する前記外線光コードの余長部を収容する余長取付部とを備えている
ことを特徴とするスプライスユニット。
【請求項７】
請求項１または請求項２記載のスプライスユニットにおいて、
前記筺形状のユニット本体、前記トレイ部材および前記融着トレイは、横長形状を為し、
前記トレイ部材は、前記筺形状のユニット本体に対して後部から前部に向かって回転できるように、前記後部側の一方の隅部を前記筺形状のユニット本体上に回転自在に軸支し、
前記融着トレイは、前記トレイ部材が所定角度回転後に、前記筺形状のユニット本体と平行となる位置でかつ前記筺形状のユニット本体に軸支する前記隅部と対角線上に対向する隅部に取り付けられている
ことを特徴とするスプライスユニット。
【請求項８】
請求項１または請求項２記載のスプライスユニットにおいて、
前記光コネクタ装置は、複数の外線用光コネクタのアダプタおよび内線用光コネクタのアダプタを複数の対として取り付けて成る光コネクタ取付部材と、この光コネクタ取付部材の一端を回転自在に軸支するとともに前記トレイ部材に固定される支持部材と、前記コネクタ取付部材の他端に設けられるとともに前記トレイ部材に固定される固定部材とを備えている
ことを特徴とするスプライスユニット。
【請求項９】
請求項８記載のスプライスユニットにおいて、
前記光コネクタ取付部材と前記支持部材とには、前記光コネクタ取付部材の回転角度を９０°とするストッパが設けてある
ことを特徴とするスプライスユニット。
【請求項１０】
前面に開閉自在な扉を設けた装置本体と、
前記ロッカー筐体内に固定される、請求項２ないし請求項９の何れか１項に記載されたスプライスユニットと
を備えたことを特徴とする通信装置。
【請求項１１】
請求項１０記載の通信装置において、
前記光コネクタ装置は、内線光コードの増設時に、外線用光コネクタを前記装置本体の前面側から目視できる位置に、前記トレイ部材を所定角度回転して前記筺形状のユニット本体に固定することができる
ことを特徴とする通信装置。
【請求項１２】
請求項１０記載の通信装置において、
前記光コネクタ装置は、内線光コードの増設時に、内線用光コネクタを前記装置本体の前面側から目視できる位置に、前記固定部材を外して前記軸支部を回転軸として前記装置本体の後面側に向かって回転することができる
ことを特徴とする通信装置。
【請求項１３】
請求項１０記載の通信装置において、
前記スプライスユニットは、上下二段に配置されるとともに、一方のスプライスユニットが他方のスプライスユニットに対し、前記光ケーブル固定具における光ケーブルの取付位置をずらしている
ことを特徴とする通信装置。
【発明の詳細な説明】
【０００１】
【発明の属する技術分野】
本発明は、スプライスユニットおよびスプライスユニットを備えた通信装置に関する。
【０００２】
【従来の技術】
高度情報化社会においてブロードバント時代の到来に伴い、アクセスネットワークの構築が求められ、インターネット活用を実現させるために、光ファイバ回線利用によるＬＡＮ関連機器が増大されている。
通信ネットワーク関連の業界では、メタル回線の既存設備に光ファイバ回線を使用するインターネット関連機器を混在させてシステムを構築し提供を行っている。そのため、既存設備内での光ファイバ接続を必要としている。
【０００３】
その光ファイバ回線の接続を目的として、スプライスユニットが開発されている。従来のスプライスユニットは、寸法が大きく、光ケーブルの導入と固定は、ロッカー筐体の裏面側と側面側とで行うことが主となっている。
そのため、運用に当たっては、大きな専用ロッカー筐体の設置が条件になっている。
【０００４】
以下に、代表的な例を記載する。
（従来例１）
スプライスユニットを、後扉の無いロッカー筺体に取り付ける（例えば、特許文献１参照）。ここでは、光ケーブルの導入と固定は、ロッカー筺体の側面で行う。
（従来例２）
スプライスユニットを、前面、後面とも扉付のロッカー筺体ヘ実装する（例えば、特許文献２参照）。ここでは、光ケーブルは後面から導入され、その固定はスプライスユニットの上部面からねじ止めなどにより行う。スプライスユニットの大きさは奥行きが約５００ｍｍ、スプライスユニットの中台にスプライスカセットがあり、中台を前面方向にスライドさせ、ロッカー筺体前面にて融着作業を行う。
【０００５】
（従来例３）
光ケーブルを、ロッカー筺体の裏側から導入する（例えば、特許文献２，３参照）。ここでは、光ケーブルの固定は、ロッカー筺体の後面方からねじ止めにより行う。
（従来例４）
光ケーブルの導入をロッカー筺体の後側から行い、光コードの配線作業をスプライスユニットの上面側で行う（例えば、特許文献２参照）。ここでは、スプライスカセットはスプライスユニットの中央部に固定する。
【０００６】
【特許文献１】
特開２００１−２２８３８１号公報
【特許文献２】
特開２００２−３６５４８号公報
【特許文献３】
特開２００３−１０７２５１号公報
【０００７】
【発明が解決しようとする課題】
しかし、従来例１では、スプライスユニットを二段積みにすると、光ケーブルが重なってしまう。そのため、光ケーブルの導入とその固定を、ロッカー筺体の側面で行うため、増設等でスプライスユニットを二段にて使用する場合に、光ケーブルの固定部分が他から来る光ケーブルの導入をさえぎってしまい、二段の増設ができない。
【０００８】
また、従来例１では、光コードの配線作業がロッカー筺体の奥部分になって見えなくなり、安全な作業ができない。
また、従来例２では、スプライスユニットは、奥行き寸法が約５００ｍｍとなるため、そのスプライスユニットを収容するロッカー筺体は奥行の深いものを使用しなければならない。
【０００９】
また、従来例２では、光ケーブルの固定をスプライスユニット上面部で行うので、スプライスユニットの上側部には他の機器類を搭載することができない。
従来例２では、中台を前面方にスライドさせ、光コネクタの増設およびメンテナンス工事を行うが、その時に内部用の光コードが引っ張られ、断線のおそれがあるから、その工事の度に内部用光コネクタを外さなければならない。
【００１０】
従来例２では、光ファイバ融着作業のためにスプライスカセット部分をスライド機能により筺体前面の外に出すが、その時にはスプライスユニットに内線用光コネクタが装着されているため、スライドと共にその光コードが外部に引き出されてしまう。
また、従来例３では、光ケーブルの導入が、スプライスユニットの後面方向から行われるので、ロッカー筺体は後面の開放が必要となり、ロッカー筺体には後扉を設けなければならない。
【００１１】
また、従来例３では、融着トレイを前面に引き出すために、スプライスユニットの左右にスライドレールを使いるので、高価な構造になる。
また、従来例４では、スプライスユニットの上面部に作業領域が必要となり、他機器を搭載することできない。
また、従来例４では、光ケーブルを導入してから固定作業を行うが、その固定はスプライスユニットの上面部からのねじ止めであり、ドライバー等の作業スペースを確保しなければならない。
【００１２】
本発明は斯かる従来の問題点を解決するために為されたもので、その目的は、小型化して従来の通信機器ロッカー筺体へも実装できるスプライスユニットを提供することにある。
本発明の別の目的は、通信機器ロッカーなどへの二段積みが可能なスプライスユニットを提供することにある。
【００１３】
本発明のまた別の目的は、光ファイバ接続のために、光ケーブルの導入と固定、および光ファイバ融着と光コネクタの接続作業をロッカー筺体の前面から行える通信装置を提供することにある。
本発明のさらに別の目的は、増設やメンテナンスなどのために光コネクタの装着が簡単に実施できる通信装置を提供することにある。
【００１４】
本発明のまたさらに別の目的は、スプライスユニットの二段積みが可能な通信装置を提供することにある。
【００１５】
【課題を解決するための手段】
請求項１に係る発明は、筺形状のユニット本体と、外部から取り込まれる光ケーブルの光ファイバ心線と接続用の外線光コードとを融着する融着トレイと、前記融着トレイに連絡する外線光コードと機器類に連絡する内線光コードとを接続する光コネクタ装置と、前記融着トレイおよび前記光コネクタ装置を取り付け、前記筺形状のユニット本体上に回転自在に軸支されるトレイ部材とを備えたことを特徴とする。
【００１６】
請求項２に係る発明は、筺形状のユニット本体と、外部から取り込まれる光ケーブルの光ファイバ心線と接続用の外線光コードとを融着する融着トレイと、前記融着トレイに連絡する外線光コードと機器類に連絡する内線光コードとを接続する光コネクタ装置と、前記外部から取り込まれる光ケーブルとその光ファイバ心線およびテンションメンバとを固定する光ケーブル固定具と、前記融着トレイ、前記光コネクタ装置および前記光ケーブル固定具を取り付け、前記筺形状のユニット本体上に回転自在に軸支されるトレイ部材とを備えたことを特徴とする。
【００１７】
請求項３に係る発明は、請求項１または請求項２記載のスプライスユニットにおいて、前記トレイ部材を固定位置において前記筺形状のユニット本体に固定する第一固定部材と、前記トレイ部材を所定角度回転後に前記筺形状のユニット本体に固定する第二固定部材とをさらに備えていることを特徴とする。
請求項４に係る発明は、請求項１または請求項２記載のスプライスユニットにおいて、余長取付部を設けた配線シート部材をさらに備え、前記配線シート部材は、前記トレイ部材における前記筺形状のユニット本体への軸支部の上部を隙間をもって覆うとともに前記筺形状のユニット本体に固定されることを特徴とする。
【００１８】
請求項５に係る発明は、請求項２に記載のスプライスユニットにおいて、前記光ケーブル固定具は、前記トレイ部材の一側に取り付けられる座板と、前記外部から取り込まれる光ケーブルを固定するとともに前記光ケーブルのテンションメンバを締結して前記座板に取り付けられる取付部材とを備えていることを特徴とする。
【００１９】
請求項６に係る発明は、請求項２に記載のスプライスユニットにおいて、前記トレイ部材は、前記光ケーブル固定具と前記融着トレイとに連絡する前記内線光コードの余長部を収容する余長取付部と、前記トレイ部材は、前記融着トレイに融着される前記外部から取り込まれる光ケーブルの光ファイバ心線の余長部を収容する余長取付部と、前記トレイ部材は、前記融着トレイと前記光コネクタ装置とに連絡する前記外線光コードの余長部を収容する余長取付部とを備えていることを特徴とする。
【００２０】
請求項７に係る発明は、請求項１または請求項２記載のスプライスユニットにおいて、前記筺形状のユニット本体、前記トレイ部材および前記融着トレイは、横長形状を為し、前記トレイ部材は、前記筺形状のユニット本体に対して後部から前部に向かって回転できるように、前記後部側の一方の隅部を前記筺形状のユニット本体上に回転自在に軸支し、前記融着トレイは、前記トレイ部材が所定角度回転後に、前記筺形状のユニット本体と平行となる位置でかつ前記筺形状のユニット本体に軸支する前記隅部と対角線上に対向する隅部に取り付けられていることを特徴とする。
【００２１】
請求項８に係る発明は、請求項１または請求項２記載のスプライスユニットにおいて、前記光コネクタ装置は、複数の外線用光コネクタのアダプタおよび内線用光コネクタのアダプタを複数の対として取り付けて成る光コネクタ取付部材と、この光コネクタ取付部材の一端を回転自在に軸支するとともに前記トレイ部材に固定される支持部材と、前記コネクタ取付部材の他端に設けられるとともに前記トレイ部材に固定される固定部材とを備えていることを特徴とする。
【００２２】
請求項９に係る発明は、請求項８記載のスプライスユニットにおいて、前記光コネクタ取付部材と前記支持部材とには、前記光コネクタ取付部材の回転角度を９０°とするストッパが設けてあることを特徴とする。
請求項１０に係る発明は、前面に開閉自在な扉を設けた装置本体と、前記ロッカー筐体内に固定される、請求項２ないし請求項９の何れか１項に記載されたスプライスユニットとを備えたことを特徴とする。
【００２３】
請求項１１に係る発明は、請求項１０記載の通信装置において、前記光コネクタ装置は、内線光コードの増設時に、外線用光コネクタを前記装置本体の前面側から目視できる位置に、前記トレイ部材を所定角度回転して前記筺形状のユニット本体に固定することができることを特徴とする。
請求項１２に係る発明は、請求項１０記載の通信装置において、前記光コネクタ装置は、内線光コードの増設時に、内線用光コネクタを前記装置本体の前面側から目視できる位置に、前記固定部材を外して前記軸支部を回転軸として前記装置本体の後面側に向かって回転することができることを特徴とする。
【００２４】
請求項１３に係る発明は、請求項１０記載の通信装置において、前記スプライスユニットは、上下二段に配置されるとともに、一方のスプライスユニットが他方のスプライスユニットに対し、前記光ケーブル固定具における光ケーブルの取付位置をずらしていることを特徴とする。
【００２５】
【発明の実施の形態】
以下、本発明を図面に示す実施形態に基づいて説明する。
【００２６】
図１ないし図２６は、本発明の第一実施形態に係るスプライスユニット１０を用いた通信機器ロッカー８０を示す（請求項１ないし請求項１３に対応する）。本実施形態において、スプライスユニット１０は、筺形状のユニット本体１１と、この筺形状のユニット本体１１上に図１に示す固定位置と図１９に示す回転完了位置との間を軸２１を介して回転自在に軸支されるトレイ部材３０と、余長取付部６２を設け、トレイ部材３０を軸支する軸２１の上部側からユニット本体１１上に取り付けられる配線シート部材６０とで構成されている。
【００２７】
筺形状のユニット本体１１は、ロッカー筐体８１内にねじ２２により固定される。
筺形状のユニット本体１１は、図５，図６に示すように、配線シート部材６０のねじ６３を螺合するねじ孔を設けた３つのねじ筒１１ａと軸２１を挿入する孔１１ｂと後面側壁面１３，側面側壁面１４および前面側壁面１５を設けた横長形状の筐体１２と、ユニット本体１１をロッカー筐体８１内にねじ２２により固定するために後面側壁面１３に設けた２つの取付片１６と、ロッカー筐体８１の扉８２側においてトレイ部材３０を固定するために前面側壁面１５に設けた２つのねじ孔１７と、所定角度回転したトレイ部材３０を固定するために前面側壁面１５の一側に設けたアーム１９に取り付けたねじ１８と、トレイ部材３０に取り付けた光ケーブル固定具４０を固定位置に保持するために筐体１２の側面部１２Ａを切り欠いて設けたストッパ２０とを備えている。
【００２８】
横長形状の筐体１２は、図１，図２に示すように、横長形状のロッカー筐体８１の後面側の壁面８３に取り付けた取付片８４，８４に、２つの取付片１６，１６をねじ２２，２２を介して取り付けられる。
横長形状の筐体１２の側面部１２Ａと側壁側壁面１４と、ロッカー筐体８１の側壁面８５，８６との間には、外部から導入される光ケーブル９０を配線する空間８７と、ロッカー筐体８１内に配される機器類に連絡する内線光コード９６を配線する空間８８とが形成されている。
【００２９】
空間８７では、トレイ部材３０を、図１に示す固定位置と図１９に示す回転完了位置との間を軸２１を介して回転させる際に、トレイ部材３０がぶつからず、かつ外部から取り込まれる光ケーブル９０がトレイ部材３０の回転に伴って移動できる大きさとされている。
トレイ部材３０は、図７，図８に示すように、横長形状の板体３１と、筺形状のユニット本体１１の前面側壁面１５に設けた２つのねじ孔１７に螺合する２つのねじ３３を取り付けた前面側壁面３２と、外部から取り込まれる光ケーブル９０の光ファイバ心線９１と接続用の外線光コード９５とを融着する融着トレイ３４と、融着トレイ３４に連絡する外線光コード９５とロッカー筐体８１内に配される機器類に連絡する内線光コード９６とを接続する光コネクタ装置３５と、融着トレイ３４に融着される外部から取り込まれる光ケーブル９０の光ファイバ心線９１を保持する取付部３７を取り付けた後部側壁面３６と、光ケーブル９０の光ファイバ心線９１の余長部を収容する余長取付部３８と、融着トレイ３４と光コネクタ装置３５とに連絡する外線光コード９５の余長部を収容する余長取付部３９と、外部から取り込まれる光ケーブル９０、その光ファイバ心線９１およびテンションメンバ９２を固定する光ケーブル固定具４０と、を備えている。
【００３０】
融着トレイ３４は、横長形状をしており、図１に示すトレイ部材３０の固定位置においては、ロッカー筐体８１の後面側の壁面８３に対して斜めになり、図１９に示すトレイ部材３０が所定角度回転後においては、筺形状のユニット本体１１と平行となるように、筺形状のユニット本体１１に軸２１を介して軸支される隅部３０Ａと対角線上に対向する隅部３０Ｂに取り付けられている（図７参照）。
【００３１】
また、融着トレイ３４は、その短辺側の壁面３４ａが、図１に示すように、光ケーブル固定具４０のほぼＬ字型に折り曲げられた座板５６の他方の面５６ｂと平行となっている。
光ケーブル９０の光ファイバ心線９１を保持する取付部３７は、公知のものであり、光ファイバ心線９１を挿通し、落下しないように爪３７ａで拘束することができる。
【００３２】
光ケーブル９０の光ファイバ心線９１の余長部を収容する余長取付部３８は、公知のものであり、光ファイバ心線９１を拘束することができる爪３８ａを適当に配置している。
外線光コード９５の余長部を収容する余長取付部３９は、公知のものであり、外線光コード９５を拘束することができる爪３９ａを適当に配置している。
【００３３】
光コネクタ装置３５は、図１、図７ないし図１０に示すように、複数の外線光コネクタ９５ａのアダプタ９５ｂおよび内線光コネクタ９６ａのアダプタ９６ｂを複数の対として取り付けて成る光コネクタ取付部材４１と、この光コネクタ取付部材４１の一端を回転自在に軸支するとともにトレイ部材３０に固定される支持部材４２と、コネクタ取付部材４１の他端に設けられるとともにトレイ部材３０に設けた固定部材４３に螺合するねじ３５ａとを備えている。なお、アダプタ９５ｂと９６ｂとは一体に形成されている。
【００３４】
光コネクタ取付部材４１は、壁面４５に複数のコネクタ９５ａ，９６ａと接続するコネクタ９５ｂ，９６ｂを取り付ける穴４６を設けるとともに壁面４５の上下面を同一方向に折り曲げた板体４４と、この板体４４の上下の壁面４７，４８の一端部に設けたフランジ４９，５０と、フランジ４９，５０とは反対側の板体４４の壁面４５に設けたねじ３５ａの取付孔５１とを備えている。
【００３５】
フランジ４９，５０には、隅部に４５°の面取りｍが施してある。この面取りｍによって、図２２に示すように、光コネクタ装置３５を回転したときに、その回転角度が９０°になったときに、支持部材４２のアーム５３の壁面に当接してストッパとしての機能を発揮することができる。
支持部材４２は、図１０に示すように、トレイ部材３０に固定される脚部５２と、光コネクタ取付部材４１のフランジ４９，５０を回転自在に軸支するＬ字型のアーム５３とで構成されている。
【００３６】
固定部材４３は、図３、図７ないし図９、図２２ないし図２４に示すように、トレイ部材３０の前面側壁面３２に立設した縦長形状の板体５４と、この板体５４に設けたねじ孔５５とを備えている。
光ケーブル９０とその光ファイバ心線９１およびテンションメンバ９２を固定する光ケーブル固定具４０は、図１４ないし図１７に示すように、トレイ部材３０の一方の側壁３１ａに形成したほぼ直角を為す切り欠き部３１ｂに取り付けられるほぼＬ字型に折り曲げられた座板５６と、光ケーブル９０を固定するとともに光ケーブル９０のテンションメンバ９２を締結して座板５６に取り付ける取付部材５７とを備えている。
【００３７】
座板５６の一方の面５６ａは、縦長形状の板体から成り、図１５に示すように、トレイ部材３０の一方の側壁３１ａに形成したほぼ直角を為す切り欠き部３１ｂの一方の端面に下向きに起立させた取付片３１ｃにねじ７０を介して固定される。
ここで、座板５６の一方の面５６ａには、座板５６の他方の面５６ｂ側よりに縦方向にねじ孔５６１，５６２，５６４が設けられ、座板５６の他方の面５６ｂとは反対側の位置に縦方向にねじ孔５６６，５６７が設けられている。ねじ７０は、下から２番目のねじ孔５６４に螺合される。
【００３８】
座板５６の他方の面５６ｂは、図１５に示すように、トレイ部材３０の一方の側壁３１ａに形成したほぼ直角を為す切り欠き部３１ｂの他方の端面に上向きに起立させた取付片３１ｄに２つのねじ７１を介して固定される。
座板５６の他方の面５６ｂには、ねじ７１による固定部より下方に、トレイ部材３０が所定角度回転後にユニット本体１１に第二固定部材を構成するねじ１８を螺合するねじ孔５６ｄを設けた起立片５６ｃが形成されている。起立片５６ｃは座板５６の一方の面５６ａと平行を為し、その長さは取付部材５７の固定の妨げと成らない程度の長さとされている。
【００３９】
取付部材５７は、図１４、図１７に示すように、座板５６の一方の面５６ａに２つのねじ７３を介して取り付けられる。
取付部材５７は、図１６、図１７に示すように、座板５６の一方の面５６ａに２つのねじ７３を介して取り付けられる縦長形状の板体５７ａと、この板体５７ａの下方側の隅部をほぼＬ字型に切り起こして形成した光ケーブル９０の外壁部を載置する座面５７ｂと、この座面５７ｂの上方において板体５７ａに設けられ、テンションメンバ９２を挿通する孔５７ｄを有するとともに孔５７ｄに差し込まれたテンションメンバ９２をねじ５７ｅにより締結するテンションメンバ固定部５７ｃと、座面５７ｂに載置された光ケーブル９０を覆うほぼＶ字型を為す押圧部５７ｇとねじ７２により板体５７ａに固定される固定板５７ｈとを有する光ケーブル固定部５７ｆとを備えている。２つのねじ７３は、最上部および上から２番目のねじ孔５６１，５６２に螺合される。
【００４０】
配線シート部材６０は、図１、図１１ないし図１３に示すように、縦長形状の板体６１と、この板体６１の後面側に設けられた内線光コード９６の余長を収容する余長取付部６２とを備えている。
縦長形状の板体６１は、図１９、図２３、図２４に示すように、ユニット本体１１に固定するための３つのねじ６３がねじ孔６３ａを介してトレイ部材３０の回転時の傷害と成らない位置に設けてある。
【００４１】
縦長形状の板体６１には、図２３、図２４に示すように、余長取付部６２に収容された内線光コード９６の余長部分が、トレイ部材３０の回転によって乱されないように、三方に壁面６４，６５，６６，６７が立設してある。そして、壁面６６と壁面６７との間には、内線光コード９６を機器側へ案内する開口部６８が設けてある。
【００４２】
次に、斯くして構成された本実施形態に係る通信機器ロッカー８０の組立について説明する。
先ず、図５、図６、図１８に示すように、ロッカー筐体８１の所定の位置にユニット本体１１をねじ２２を介して取り付ける。
図１８では、トレイ部材３０および配線シート部材６０を示すが、組立は、ユニット本体１１の取付、トレイ部材３０の取付、配線シート部材６０の取付の順に行われる。その手順に従って説明する。
【００４３】
次に、図１８に示すように、ユニット本体１１上に軸２１を介してトレイ部材３０を取り付ける。そして、トレイ部材３０の前面側壁面３２に取り付けたねじ３３をユニット本体１１の前面側壁面１５に設けたねじ孔１７に螺合し、トレイ部材３０を所定の固定位置に固定する。
次に、図１、図１８に示すように、配線シート部材６０をトレイ部材３０の上からトレイ部材３０の回転を妨げないように隙間をもってユニット本体１１に３つのねじ６３を螺合し、ユニット本体１１とトレイ部材３０とを結合する軸２１の上部側に固定する。
【００４４】
次に、図９，図１０，図２２に示すように、光コネクタ装置３５のねじ３５ａを固定部材４３から外し、支持部材４２を支点として光コネクタ装置３５を融着トレイ３４方向へフランジ４９，５０の面取りｍが支持部材４２のアーム５３の壁面に当接するまで回転する。そして、光コネクタ取付部材４１に複数の内線光コネクタ９６ａを取り付ける。
【００４５】
この時、光コネクタ装置３５の光コネクタ取付部材４１は、ロッカー筐体５１の扉８２の軸支部分とほぼ直角となっているため、光コネクタ取付部材４１に取り付けてある名称ラベルを確認しながら複数の内線光コネクタ９６ａを装着することができる。
次に、内線光コネクタ９６ａに内線光コード９６を取り付け、内線光コード９６の余長部を余長取付部６２に収容する。
【００４６】
次に、光コネクタ装置３５を初期の固定位置に戻し、ねじ３５ａを固定部材４３に螺合し、固定する。
次に、トレイ部材３０のねじ３３，３３をユニット本体１１のねじ孔１７，１７から外し、図１９、図２０に示すように、軸２１を支点としてトレイ部材３０をロッカー筐体８１の扉８２方向へ回転し、光ケーブル固定具４０の起立片５６ｃがユニット本体１１のアーム１９に当接したところで、回転を停止し、ねじ１８を起立片５６ｃのねじ孔５６ｄに螺合する。
【００４７】
この時、光コネクタ装置３５の光コネクタ取付部材４１は、図１９に示すように、ロッカー筐体８１の前面側左柱部Ｋとほぼ直角となっているため、光コネクタ取付部材４１に取り付けてある名称ラベルを確認することができる。
次に、光コネクタ取付部材４１に複数の外線光コネクタ９５ａを取り付け、外線コード９５の余長部を余長取付部３９に収容する。
【００４８】
次に、図１７に示すように、光ケーブル固定具４０の取付部材５７を外し、図１６に示すように、この取付部材５７に光ケーブル９０を固定する。
ここでは、光ケーブル９０のテンションメンバ９２をテンションメンバ固定部５７ｃの孔５７ｄに挿通した後、光ケーブル９０の外壁部を座板５７ｂと固定板５７ｈのほぼＶ字型を為す押圧部５７ｇとで挟持した状態で固定板５７ｈをねじ７２により板体５７ａに固定し、次いで、テンションメンバ固定部５７ｃにねじ５７ｅを螺合してテンションメンバ９２を固定する。その後、光ケーブル固定具４０の取付部材５７を２本のねじ７３で座板５６のねじ穴５６１，５６２へ螺合する。
【００４９】
この作業中、トレイ部材３０はユニット本体１１に固定されているので、作業中に外力が加えられても、トレイ部材３０が動くことがない。
次に、光ケーブル９０の光ファイバ心線９１と外線光コード９５とを融着トレイ３４において融着して接合する。
この時、融着トレイ３４は、ロッカー筐体８１の前面において、ロッカー筐体８０と平行になって固定されているので、融着作業が簡単に行える。
【００５０】
次に、ねじ１８を起立片５６ｃのねじ孔５６ｄから外し、トレイ部材３０を元の固定位置へ回転して戻し、トレイ部材３０のねじ３３をユニット本体１１の孔１７に螺合し、トレイ部材３０を固定する。
【００５１】
ここでは、スプライスユニット１０とロッカー筐体８１との間に空間が形成されているため、トレイ部材３０の回転に伴って移動する光ケーブル９０は、空間内を移動し、光ケーブル９０に無用な外力が掛かることはない。
以上により、光ケーブル９０、外線光コード９５および内線光コード９６の接続作業が完了する。
【００５２】
その組立状態を、図２５、図２６に示す。
なお、内線光コード９６の増設およびメンテナンスの作業は、図２２に示すように、光コネクタ装置３５のねじ３５ａを固定部材４３から外し、支持部材４２を支点として光コネクタ装置３５を融着トレイ３４方向へフランジ４９，５０の面取りｍが支持部材４２のアーム５３の壁面に当接するまで回転した後に行われる。
【００５３】
以上のように、本実施形態によれば、ロッカー筐体８１の裏面側が開放されておらず、また、裏蓋および裏扉もない場合およびそのロッカー筐体８１の奥行き寸法が短い（少なくとも約３００ｍｍ）時にも使用可能となる。
また、本実施形態によれば、従来例１で述べたような、光コードの配線作業がロッカー筺体の奥部分になって見えなくなり、安全な作業ができないという問題点を解決することが可能となる。
【００５４】
また、従来例２で述べたような、スプライスユニットは、奥行き寸法が約５００ｍｍとなるため、そのスプライスユニットを収容するロッカー筺体は奥行の深いものを使用しなければならないという問題点を解決することが可能となる。
また、従来例２で述べたような、光ケーブルの固定をスプライスユニット上面部で行うので、スプライスユニットの上側部には他の機器類を搭載することができないという問題点を解決することが可能となる。
【００５５】
従来例２で述べたような、中台を前面方にスライドさせ、光コネクタの増設およびメンテナンス工事を行うが、その時に内部用の光コードが引っ張られ、断線のおそれがあるから、その工事の度に内部用光コネクタを外さなければならないという問題点を解決することが可能となる。
従来例２で述べたような、光ファイバ融着作業のために融着トレイをスライド機能により筺体前面の外に出すが、その時にはスプライスユニットに内線用光コネクタが装着されているため、スライドと共にその光コードが外部に引き出されてしまうという問題点を解決することが可能となる。
【００５６】
また、従来例３で述べたような、光ケーブルの導入が、スプライスユニットの後面方向から行われるので、ロッカー筺体は後面の開放が必要となり、ロッカー筺体には後扉を設けなければならないという問題点を解決することが可能となる。
また、従来例３で述べたような、融着トレイを前面に引き出すために、スプライスユニットの左右にスライドレールを使いるので、高価な構造になるという問題点を解決することが可能となる。
【００５７】
また、従来例４で述べたような、スプライスユニットの上面部に作業領域が必要となり、他機器を搭載することできないという問題点を解決することが可能となる。
また、従来例４で述べたような、光ケーブルを導入してから固定作業を行うが、その固定はスプライスユニットの上面部からのねじ止めであり、ドライバー等の作業スペースを確保しなければならないという問題点を解決することが可能となる。
【００５８】
図２７ないし図２９は、本発明の第二実施形態を示す（請求項１３に対応）。本実施形態では、スプライスユニット１０を二段にした点で、第一実施形態とは相違する。
本実施形態では、２つのスプライスユニット１０，１０を所定の間隔を隔ててロッカー筐体５１に取り付ける。
【００５９】
この際、上側のスプライスユニット１０における光ケーブル固定具４０の取付部材の取付位置を変えて、２本の光コード９０，９０が重ならないように固定できるようにしてある。
これを図１４ないし図１６および図２９により説明する。
座板５６の一方の面５６ａには、座板５６の他方の面５６ｂ側よりに縦方向にねじ孔５６１，５６２，５６４が設けられ、座板５６の他方の面５６ｂとは反対側の位置に縦方向にねじ孔５６６，５６７が設けられている。
【００６０】
そこで、下側のスプライスユニット１０は、第一実施形態と同様に取付部材５７を取り付け、上側のスプライスユニット１０を、図２９に示すように、座板５６の他方の面５６ｂとは反対側の位置に縦方向に設けられたねじ孔５６６，５６７を利用して取付部材５７を取り付ける。なお、穴５６３，５６５，５６８，５６９はねじ７２の逃げ穴である。
【００６１】
従って、本実施形態においては、２本の光ケーブル９０，９０が重ならず、上下のスプライスユニット１０，１０を個別に操作することが可能となる。
以上のように、本実施形態によれば、従来例１で述べたような、スプライスユニットを二段積みにすると、光ケーブルが重なり、光ケーブルの固定部分が他から来る光ケーブルの導入をさえぎってしまい、二段の増設ができないという問題点を解決することが可能となる。
【００６２】
なお、本実施形態では、通信装置としてロッカーに適用した場合について説明したが、架であっても良い。
【００６３】
【発明の効果】
本発明のスプライシンユニットによれば、小型化により、光ファイバの回線接続が従来の通信機器ロッカー筺体内部で行うことができる。
【００６４】
また、スプライスユニットの上面方向からの光ケーブル固定作業が無いため、ロッカー筺体の実装面積ロスが少なく他システム機器類の実装が有効的になる。従来では無理だったロッカー前面での操作で光ケーブルの導入作業が可能となる。そして、内線光コネクタの増設やメンテナンス作業を容易に行うことができる。
光ファイバの融着作業と光コネクタの接続作業は、棚類のスライド機能を必要とせずに簡易構造で格安に行うことが可能となる。
【図面の簡単な説明】
【図１】本発明の第一実施形態に係るスプライスユニット１０を用いた通信機器ロッカー８０を示す平面図である。
【図２】図１のスプライスユニット１０の正面図である。
【図３】図１のスプライスユニット１０の右側面図である。
【図４】図１のスプライスユニット１０の左側面図である。
【図５】図１のユニット本体を示す平面図である。
【図６】図５の右側面図である。
【図７】図１のトレイ部材を示す平面図である。
【図８】図７の正面図である。
【図９】図７の右側面図である。
【図１０】図１の光コネクタ装置を示す図である。
【図１１】図１の配線シート部材を示す平面図である。
【図１２】図１１の正面図である。
【図１３】図１１の右側面図である。
【図１４】図１の光ケーブル固定具を示す斜視図である。
【図１５】図１４の座板の取付を示す斜視図である。
【図１６】図１４の光ケーブルを取り付けた光ケーブル固定具４０の取付を示す斜視図である。
【図１７】図１４の取付部材を示す分解斜視図である。
【図１８】図１のトレイ部材に内線光コードを配線する説明用の平面図である。
【図１９】図１のトレイ部材を回転させた状態を示す平面図である。
【図２０】図１９におけるＤ部の拡大図である。
【図２１】図２０の分解斜視図である。
【図２２】図１の光コネクタ装置を回転した状態を示す平面図である。
【図２３】図１９のトレイ部材の回転後のユニット本体とトレイ部材との関係を示す分解斜視図である。
【図２４】図１のトレイ部材の固定位置におけるユニット本体とトレイ部材との関係を示す分解斜視図である。
【図２５】図１の通信機器ロッカーを示す正面図である。
【図２６】図２５の側面図である。
【図２７】本発明の第二実施形態に係るスプライスユニット１０を用いた通信機器ロッカー８０の要部を示す平面図である。
【図２８】図２７の左側面図である。
【図２９】図２７における上側のスプライスユニット１０の左側面図である。
【符号の説明】
１０  スプライスユニット
１１  ユニット本体
１２  筐体
１８  ねじ
２１  軸
２２  ねじ
３０  トレイ部材
３４  融着トレイ
３５  光コネクタ装置
３８，３９，６２  余長取付部
４０  光ケーブル固定具
４１  光コネクタ取付部材
４２  支持部材
６０  配線シート部材
８０  通信機器ロッカー
８１  ロッカー筐体
８７，８８  空間
９０  光ケーブル
９１  光ファイバ心線
９２  テンションメンバ
９５  外線光コード
９６  内線光コード
９５ａ，９６ａ  コネクタ
９５ｂ、９６ｂ  アダプタ
【図１】
2005043480.tif 000003
【図２】
2005043480.tif 000004
【図３】
2005043480.tif 000005
【図４】
2005043480.tif 000006
【図５】
2005043480.tif 000007
【図６】
2005043480.tif 000008
【図７】
2005043480.tif 000009
【図８】
2005043480.tif 000010
【図９】
2005043480.tif 000011
【図１０】
2005043480.tif 000012
【図１１】
2005043480.tif 000013
【図１２】
2005043480.tif 000014
【図１３】
2005043480.tif 000015
【図１４】
2005043480.tif 000016
【図１５】
2005043480.tif 000017
【図１６】
2005043480.tif 000018
【図１７】
2005043480.tif 000019
【図１８】
2005043480.tif 000020
【図１９】
2005043480.tif 000021
【図２０】
2005043480.tif 000022
【図２１】
2005043480.tif 000023
【図２２】
2005043480.tif 000024
【図２３】
2005043480.tif 000025
【図２４】
2005043480.tif 000026
【図２５】
2005043480.tif 000027
【図２６】
2005043480.tif 000028
【図２７】
2005043480.tif 000029
【図２８】
2005043480.tif 000030
【図２９】
2005043480.tif 000031